(57)【要約】【課題】温度変化に伴いピッチムラが悪化するのを十分かつ簡単に抑止する。【解決手段】データ処理装置は、光を偏向して記録媒体上で走査する回転多面鏡１６と、回転多面鏡１６で偏向された光を前記記録媒体上に結像する結像光学系（図示略）と、前記記録媒体の近傍の温度を検出する第１の温度センサ４１と、前記結像光学系の近傍の温度を検出する第２の温度センサ４２と、回転多面鏡１６の１回転を１周期とした周期的ムラ補正パターンを発生させるパターン発生器３１と、第１の温度センサ４１と第２の温度センサ４２との検出結果に基づき、前記周期的ムラ補正パターンの振幅を補完する補完値を算出して、その補完値を前記周期的ムラ補正パターンに加算する補完器４０と、を備えている。【選択図】図３
2008176006.tif 000002
【特許請求の範囲】
【請求項１】
光を偏向して記録媒体上で走査する偏向器と、前記偏向器で偏向された光を前記記録媒体上に結像する結像光学系とを有し、前記偏向器の１回転を１周期とした周期的ムラ補正パターンを補完するデータ処理装置であって、
前記データ処理装置内の少なくとも一部の温度を検出する温度センサと、
前記周期的ムラ補正パターンを発生させるパターン発生器と、
前記温度センサの検出結果に基づき、前記周期的ムラ補正パターンの振幅を補完する補完値を算出して、その補完値を前記周期的ムラ補正パターンに加算する補完器と、
を備えることを特徴とするデータ処理装置。
【請求項２】
請求項１に記載のデータ処理装置において、
前記偏向器と前記結像光学系とを有する光走査装置を備え、
前記温度センサが、前記光走査装置の内部又はその近傍の少なくとも一方の温度を検出することを特徴とするデータ処理装置。
【請求項３】
請求項１又は２に記載のデータ処理装置において、
前記結像光学系が１以上の樹脂製レンズを含むことを特徴とするデータ処理装置。
【請求項４】
請求項１〜３のいずれか一項に記載のデータ処理装置において、
前記結像光学系は、温度上昇に伴い像点が前記偏向器側にシフトする特性を有していることを特徴とするデータ処理装置。
【請求項５】
請求項１〜４のいずれか一項に記載のデータ処理装置において、
前記補完器が、前記補完値の加算量を前記偏向器の面倒れ量に比例させることを特徴とするデータ処理装置。
【請求項６】
請求項１〜４のいずれか一項に記載のデータ処理装置において、
前記補完器が、前記補完値の加算量を前記偏向器の面倒れ量に依存させずに一定に維持することを特徴とするデータ処理装置。
【請求項７】
請求項１〜４のいずれか一項に記載のデータ処理装置において、
前記補完器が、前記補完値の加算量を像高に応じて変更することを特徴とするデータ処理装置。
【請求項８】
請求項１〜７のいずれか一項に記載のデータ処理装置を備えることを特徴とする光露光装置。
【請求項９】
請求項１〜７のいずれか一項に記載のデータ処理装置を備えることを特徴とする画像形成装置。
【請求項１０】
偏向器で光を偏向して記録媒体上で走査するとともに、結像光学系で前記偏向器により偏向された光を前記記録媒体上に結像する場合であって、前記偏向器の１回転を１周期とした周期的ムラ補正パターンを発生させるときに、
前記記録媒体の近傍の温度と前記結像光学系の近傍の温度とに基づき、前記周期的ムラ補正パターンの振幅を補完する補完値を算出して、その補完値を前記周期的ムラ補正パターンに加算することを特徴とする周期的ムラ補正パターンの補完方法。
【請求項１１】
請求項１０に記載の周期的ムラ補正パターンの補完方法において、
前記結像光学系が１以上の樹脂製レンズを含むことを特徴とする周期的ムラ補正パターンの補完方法。
【請求項１２】
請求項１０又は１１に記載の周期的ムラ補正パターンの補完方法において、
前記結像光学系は、温度上昇に伴い像点が前記偏向器側にシフトする特性を有していることを特徴とする周期的ムラ補正パターンの補完方法。
【請求項１３】
請求項１０〜１２のいずれか一項に記載の周期的ムラ補正パターンの補完方法において、
前記補完値の加算量を前記偏向器の面倒れ量に比例させることを特徴とする周期的ムラ補正パターンの補完方法。
【請求項１４】
請求項１０〜１２のいずれか一項に記載の周期的ムラ補正パターンの補完方法において、
前記補完値の加算量を前記偏向器の面倒れ量に依存させずに一定に維持することを特徴とする周期的ムラ補正パターンの補完方法。
【請求項１５】
請求項１０〜１２のいずれか一項に記載の周期的ムラ補正パターンの補完方法において、
前記補完値の加算量を像高に応じて変更することを特徴とする周期的ムラ補正パターンの補完方法。
【発明の詳細な説明】
【技術分野】
【０００１】
本発明は、回転多面鏡の１回転を１周期とした周期的ムラ補正パターンを補完するデータ処理装置及びその周期的ムラ補正パターンの補完方法に関する。
【背景技術】
【０００２】
従来から、レーザプリンタやレーザ複写機等に好適に用いられる画像形成装置が知られている。当該装置は、光源から出射された光を回転多面鏡（ポリゴンミラー）の各偏向面で偏向し、その後にその光を結像光学系で記録媒体の記録面に結像し、回転多面鏡の回転に伴い走査するものである。当該装置においては、回転多面鏡の各偏向面の傾き（いわゆる面倒れ）や結像光学系の構成材料に起因して各光走査線同士でピッチムラ（間隔のムラ）が発生するため、近年ではそのピッチムラが発生するのを抑える技術が提案されている（例えば特許文献１〜３参照）。
【０００３】
特許文献１に開示された技術では、光源から出射される光の位相と振幅とを所定量ずつ変更しながらテストパターンを作成し、最もムラの少ないテストパターンからその補正値（位相，振幅）に相当する周期的ムラ補正パターンを決定し（段落0026〜0035）、その周期的ムラ補正パターンに基づき、回転多面鏡の面倒れに起因するピッチムラを光源の露光光量で補正している。
【０００４】
特許文献２に開示された技術では、感光体ドラム（９）を支持する感光体ドラム支持部（１０）を具備し、当該感光体ドラム支持部がその軸受（１１）の移動で光軸方向に自由に伸縮可能な構成となっている。そして第２の結像レンズ系（樹脂製レンズ７）の形状及び屈折率が温度変化により変化した場合にレーザー光の結像位置がずれたときでも、感光体ドラム支持部が伸縮することで、感光体ドラムの移動で結像位置を感光体ドラム近傍に位置させ、記録画質を良好に保とうとしている（段落0015，0019，図１参照）。すなわち、温度変化に伴う像点（共役点）のズレを感光体ドラムの移動で調整している。
【０００５】
特許文献３に開示された技術では、結像光学系としての第１光学系（４）をプラスチック製のレンズ（４ａ）とガラス製のレンズ（４ｂ）との組合せで構成し、温度変化に対する感光体ドラム上のビームスポットのピントズレを補正している（段落0015，0030〜0036，図２参照）。
【特許文献１】特許第３４９６１７１号公報
【特許文献２】特開平５−６１３２２号公報
【特許文献３】特開平７−１２８６０４号公報
【発明の開示】
【発明が解決しようとする課題】
【０００６】
しかしながら、上記特許文献１〜３に開示された技術は下記のような問題点を有している。
【０００７】
特許文献１に開示された技術では、周期的ムラ補正パターンを決定した時点の温度と同等の温度で光走査が行われれば高品質の画像を形成することはできるものの、画像形成時の装置内の温度が周期的ムラ補正パターンの決定時のそれと異なれば、周期的ムラ補正パターンの決定因子となった最適な振幅が変動し、結果的にピッチムラを十分に抑えきれなくなる。
【０００８】
すなわち、第１の要因として、温度変化に伴い光走査用の光源から記録媒体の記録面に至るまでの機械的部品が膨張したり収縮したりして、図５（ａ）に示す通りに記録媒体の記録面が所定位置からシフトし（矢印Ａ参照）、像点と記録面とでズレが生じてピッチムラを十分に抑えきれなくなる。
【０００９】
なお、当該現象では一般的に、温度上昇に伴っては記録媒体の記録面が回転多面鏡から離れる方向にシフトするようになっている。
【００１０】
第２の要因としては、温度変化に伴い結像光学系自体の温度特性の変動により、図５（ｂ）に示す通りに回転多面鏡の像点が所定位置からシフトし（矢印Ｂ参照）、像点と記録面とでズレが生じてピッチムラを十分に抑えきれなくなる。特に結像光学系が温度上昇に伴って回転多面鏡の像点が回転多面鏡側にシフトするような特性を有している場合には、上記第１の要因との相乗効果で像点と記録面とのズレが顕著となる。
【００１１】
特許文献２に開示された技術では、感光体ドラムを移動させるための専用の構成（感光体ドラム支持部とその軸受）が必要で、装置自体が大掛かりなものとなって構成が複雑となる。
【００１２】
特許文献３に開示された技術では、ピントズレの補正は可能であるものの、回転多面鏡の像点（共役点）のズレまでは補正することができない。その結果、面倒れの補正を実現しようとする光学系の共役関係が崩れ、温度変化に伴いピッチムラが悪化してしまう。
【００１３】
本発明の主な目的は、温度変化に伴いピッチムラが悪化するのを十分かつ簡単に抑止することである。
【課題を解決するための手段】
【００１４】
上記課題を解決するため第１の発明に係るデータ処理装置は、
光を偏向して記録媒体上で走査する偏向器と、前記偏向器で偏向された光を前記記録媒体上に結像する結像光学系とを有し、前記偏向器の１回転を１周期とした周期的ムラ補正パターンを補完するデータ処理装置であって、
前記データ処理装置内の少なくとも一部の温度を検出する温度センサと、
前記周期的ムラ補正パターンを発生させるパターン発生器と、
前記温度センサの検出結果に基づき、前記周期的ムラ補正パターンの振幅を補完する補完値を算出して、その補完値を前記周期的ムラ補正パターンに加算する補完器と、
を備えることを特徴としている。
【００１５】
第１の発明においては、
前記偏向器と前記結像光学系とを有する光走査装置を備え、
前記温度センサが、前記光走査装置の内部又はその近傍の少なくとも一方の温度を検出するのが好ましい。
【００１６】
第２の発明に係る周期的ムラ補正パターンの補完方法は、
偏向器で光を偏向して記録媒体上で走査するとともに、結像光学系で前記偏向器により偏向された光を前記記録媒体上に結像する場合であって、前記偏向器の１回転を１周期とした周期的ムラ補正パターンを発生させるときに、
前記記録媒体の近傍の温度と前記結像光学系の近傍の温度とに基づき、前記周期的ムラ補正パターンの振幅を補完する補完値を算出して、その補完値を前記周期的ムラ補正パターンに加算することを特徴としている。
【００１７】
第１，第２の発明においては、
前記結像光学系が１以上の樹脂製レンズを含んでいるほうが、第１，第２の発明の奏する効果が大きい。
【００１８】
第１，第２の発明においては、
前記結像光学系は、温度上昇に伴い像点が前記偏向器側にシフトする特性を有しているほうが、第１，第２の発明の奏する効果が大きい。
【００１９】
第１，第２の発明においては、
前記補完値の加算量を前記偏向器の面倒れ量に比例させてもよい。
【００２０】
第１，第２の発明においては、
前記補完値の加算量を前記偏向器の面倒れ量に依存させずに一定に維持してもよい。
【００２１】
第１，第２の発明においては、
前記補完値の加算量を像高に応じて変更してもよい。
【００２２】
第３の発明は、第１の発明に係るデータ処理装置を備える光露光装置である。
【００２３】
第４の発明は、第１の発明に係るデータ処理装置を備える画像形成装置である。
【発明の効果】
【００２４】
本発明によれば、温度変化に伴いピッチムラが悪化するのを十分かつ簡単に抑止することができる。
【発明を実施するための最良の形態】
【００２５】
以下、図面を参照しながら本発明を実施するための最良の形態について説明する。ただし、発明の範囲は以下の実施形態及び図示例に限定されるものではない。
【００２６】
図１に示す通り、画像形成装置１００は、記録媒体としての感光性フィルム２０に対し、露光により潜像を形成してその潜像を加熱して現像（可視像化）するもので、主には収納部１、光走査装置２、搬送部３及び熱現像部４を備えている。
【００２７】
収納部１は、感光性フィルム２０を収納する部位であり、感光性フィルム２０を１枚ずつ搬送部３に向けて搬出するようになっている。
【００２８】
光走査装置２は感光性フィルム２０に対し光走査する部位であり、レーザ光Ｌを感光性フィルム２０に向けて露光・走査するようになっている。
【００２９】
図２に示す通り、光走査装置２は光源装置１４、シリンドリカルレンズ１５、回転多面鏡１６及び結像レンズ１８を有しており、これら部材が１つのユニットを形成した状態で筐体２ａの内部に収容された構成を有している。
【００３０】
光源装置１４は光としてのレーザ光Ｌを発するレーザ光源１０とカップリングレンズ１２とで構成されている。シリンドリカルレンズ１５は、レーザ光源１０から出射されたレーザ光Ｌを回転多面鏡１６上に結像するものである。回転多面鏡１６は光偏向器として回転駆動されるもので、シリンドリカルレンズ１５で結像されたレーザ光Ｌを偏向面１６ａにより偏向するようになっている。
【００３１】
結像レンズ１８は回転多面鏡１６で偏向されたレーザ光Ｌを所定形状のスポットとして感光性フィルム２０上に結像するものである。結像レンズ１８は、温度が上昇した際には、偏向面１６ａでのレーザ光Ｌの偏向点を物点とした場合にその共役点（像点）を当該物点に近づける（回転多面鏡１６側にシフトさせる）特性を有していてもよい。結像レンズ１８は具体的には樹脂製レンズであってもよい。結像レンズ１８は２枚以上のレンズで構成されてもよく、その場合には少なくとも１枚のレンズが樹脂製レンズで構成されていてもよい。
【００３２】
以上の光走査装置２０では、レーザ光源１０がレーザ光Ｌを出射すると、そのレーザ光Ｌはカップリングレンズ１２及びシリンドリカルレンズ１５を透過して回転多面鏡１６の偏向面１６ａで偏向され、その後に結像レンズ１８を透過して感熱性フィルム２０上に結像スポットを形成するようになっている。
【００３３】
図１に示す通り、搬送部３は２対の搬送ローラ対３ａ，３ｂを有しており、搬送ローラ対３ａ，３ｂが筐体３ｃの内部に収容された構成を有している。搬送部３に感光性フィルム２０が搬入されると、当該感光性フィルム２０は搬送ローラ対３ａ，３ｂにより筐体３ｃの内部でレーザ光Ｌの走査方向と直交する方向（副走査方向）に搬送され、熱現像部４に向けて搬出されるようになっている。
【００３４】
光走査装置２と搬送部３との間にはスペーサ５が設けられており、光走査装置２と搬送部３との配置（間隔）が適切に設定されている。
【００３５】
熱現像部４は熱現像ドラム４ａを有しており、熱現像ドラム４ａと感光性フィルム２０とが密着した状態で熱現像ドラム４ａが回転しながら感光性フィルム２０を加熱し、感光性フィルム２０上の潜像を現像するようになっている。
【００３６】
なお、図１に示す通り、搬送部３の筐体３ｃの内部であって搬送ローラ対３ａ，３ｂの近傍には第１の温度センサ４１が設けられており、搬送部３を構成する機械的部品の近傍の温度を検出することができるようになっている。他方、図２に示す通り、筐体２ａの内部には第２の温度センサ４２が設けられており、結像レンズ１８の近傍の温度を検出することできるようになっている。すなわち、画像形成装置１００では、第１，第２の温度センサ４１，４２で光走査装置３の内部又はその近傍の少なくとも一方の温度を検出することができるようになっている。
【００３７】
以上の画像形成装置１００では、感熱性フィルム２０が収納部１から搬出されると、その感光性フィルム２０は搬送部３に搬入され、搬送部３による搬送中に光走査装置２による光走査を受けて潜像が形成される。その後、当該感光性フィルム２０は搬送部３から熱現像部４に搬出され、最終的に熱現像部４で熱現像ドラム４ａの熱を受けて潜像が現像されるようになっている。
【００３８】
続いて、画像形成装置１００の回路構成について説明する。
【００３９】
図３に示す通り、画像形成装置１００では、特許文献１に開示された技術と略同様の回路構成を有している（段落0025，図１参照）。すなわち、画像形成装置１００は乗算器３０、パターン発生器３１、メモリ３２、駆動回路３３、モータ制御回路３４及びキーボード３５を有している。当該駆動回路３３にはレーザ光源１０が接続され、当該駆動回路３３によりレーザ光源１０から出射されるレーザ光Ｌの強度が変調されるようになっている。当該モータ制御回路３４には回転多面鏡１６（のモータ）が接続されており、当該モータ制御回路３４により回転多面鏡１６が回転制御されるようになっている。
【００４０】
画像形成装置１００が特許文献１に開示された技術（段落0025，図１参照）と異なるのは、補完器４０、第１の温度センサ４１及び第２の温度センサ４２を有しており、補完器４０がパターン発生器３１に接続されていることである。
【００４１】
補完器４０には第１，第２の温度センサ４１，４２がそれぞれ接続されており、補完器４０は第１，第２の温度センサ４１，４２の検出結果に基づき、周期的ムラ補正パターンの振幅を補完する補完値を算出し、その補完値をパターン発生器３１に出力するようになっている（後述参照）。
【００４２】
なお、画像形成装置１００では、少なくとも、上記回転多面鏡１６と、結像レンズ１８と、第１，第２の温度センサ４１，４２と、パターン発生器３１と、補完器４０とで、周期的ムラ補正パターンを補完するデータ処理装置が構成されており、画像形成装置１００は当該データ処理装置を内在させた構成を有している（本実施形態では、当該データ処理装置を備える画像形成装置１００について例示しているが、当該データ処理装置は公知の光露光装置にも使用することができる。）。
【００４３】
続いて、本発明に係る「周期的ムラ補正パターンの補完方法」について説明する。
【００４４】
当該周期的ムラ補正パターンの補完方法は感光性フィルム２０への画像形成前等の段階で、画像形成装置１００の温度が画像形成前と比較して変化した際に採用するものである。当該周期的ムラ補正パターンの補完方法は、基本的には特許文献１の記載の通りに周期的ムラ補正パターンを決定するが（段落0026〜0035参照）、振幅を変更しながら周期的変調パターンを発生させる際の処理がやや異なっている。
【００４５】
すなわち、回転多面鏡１６の１回転を１周期とした正弦波を下記式（１）で示す基本的周期的変調パターンｇ（ｘ）とする。
ｇ（ｘ）＝１＋ａ１ｓｉｎｘ  …  （１）
【００４６】
そして、この基本的周期的変調パターンの位相δを変化させた下記式（２）で示す周期的変調パターンｈ（ｘ）をパターン発生器３１により発生させ、パターン発生器３１がその周期的変調パターン信号を乗算器３０に送信するとともに、乗算器３０に対し一定の値の画像信号を入力して通常の画像を記録してテストフィルムを得る。
ｈ（ｘ）＝１＋ａ１ｓｉｎ（ｘ＋δ）  …  （２）
【００４７】
第１回目のテストフィルムの作成では、基本的周期的変調パターンの所定の振幅ａ１の正弦波の位相δを、所定の長さの副走査毎に所定の位相（例えば４５°）ずつずらして、パターン発生器３１が周期的変調パターンを発生させる。
【００４８】
そして、オペレータはテストフィルムを現像処理して、最もムラの消えているものを選択し、その最もムラの消えている位相δをキーボード３５に入力する。パターン発生器３１はその入力を受けて当該位相δをメモリ３２に記憶させる。
【００４９】
第２回目のテストフィルムの作成では、メモリ３２に記憶されている位相δの正弦波でその振幅ａ１を０から所定の割合（例えば０．４％）ずつ、所定の長さの副走査毎に大きくして、パターン発生器３１が周期的変調パターンｈ（ｘ）を発生させる。
【００５０】
そして、オペレータはテストフィルムを現像処理して、テストフィルムを主走査方向で前、中、後で３等分して、前、中、後の各部で最もムラの消えているものを選択し、前、中、後の各部で最もムラの消えている振幅ａ１をキーボード３５から入力する。パターン発生器３１はその入力を受けて当該振幅ａ１をメモリ３２にそれぞれ記憶させる。
【００５１】
次に、パターン発生器３１は、メモリ３２に記憶されている補間演算プログラムにより、主走査方向の振幅ａ１を補間演算し、振幅パターンを決定する。そして、メモリ３２に記憶されている位相の正弦波に振幅パターンを乗算して、周期的ムラ補正パターンを決定する。
【００５２】
そして実際に画像を形成する際には、補完器４０が補完値を算出してその補完値をパターン発生器３１に出力し、パターン発生器３１が発生させようとする周期的変調パターンｈ（ｘ）に対しその補完値を加算するようになっている。
【００５３】
すなわち、始めに、補完器４０が第１，第２の温度センサ４１，４２の検出結果に基づき下記式（３）に示す「走査線位置ズレ量」を算出する（ズレ量算出工程）。
走査線位置ズレ量＝（光線の傾き）×（副走査倍率の逆数）×（（記録面のシフト量）−（共役点のシフト量））  …  （３）
【００５４】
図４に示す通り、回転多面鏡１６の回転に伴い偏向面１６ａが垂直面から傾いた場合に（いわゆる面倒れが生じた場合に）、その偏向面１６ａから結像レンズ１８に伝播するレーザ光Ｌの軌跡と物点〜像点を結ぶ直線とがなす角度を「θ１」と、結像レンズ１８から感光性フィルム２０に伝播するレーザ光Ｌの軌跡と物点〜像点を結ぶ直線とがなす角度を「θ２」としたとき、上記式（３）中、「光線の傾き」とはθ１であり、「副走査倍率」とはθ１／θ２であり、「副走査倍率の逆数」とはθ２／θ１である。
【００５５】
上記式（３）中、「記録面のシフト量」と「共役点のシフト量」とは下記式（３ａ），（３ｂ）に示すものである（図４中、右方向がこれら記録面のシフト量と共役点のシフト量の正である。）。
【００５６】
記録面のシフト量＝Σ［（光走査装置〜記録媒体の機械的部品の温度係数）×（（画像形成前の搬送部３の機械的部品近傍の温度）−（周期的ムラ補正パターン決定時の記録媒体近傍の温度））］  …  （３ａ）
【００５７】
上記式（３ａ）中、「光走査装置〜記録媒体の機械的部品の温度係数」とは、レーザ光Ｌが光走査装置２から感光性フィルム２０に至るまでの経路の近傍に配置されている機械的部品の温度係数であって、具体的には搬送ローラ対３ａ，３ｂや筐体３ｃ等の温度係数をいう。「画像形成前の搬送部３の機械的部品近傍の温度」とは、画像形成前に第１の温度センサ４１が検出した温度をいう。「周期的ムラ補正パターン決定時の記録媒体近傍の温度」とは、周期的ムラ補正パターンの決定時に第１の温度センサ４１が検出した温度をいう。
【００５８】
共役点のシフト量＝（結像光学系の温度特性）×（（画像形成前の結像光学系近傍の温度）−（周期的ムラ補正パターン決定時の結像光学系近傍の温度））  …  （３ｂ）
【００５９】
上記式（３ｂ）中、「結像光学系の温度特性」とは、結像レンズ１８の温度特性をいう。「画像形成前の結像光学系近傍の温度」とは、画像形成前に第２の温度センサ４２が検出した温度をいう。「周期的ムラ補正パターン決定時の結像光学系近傍の温度」とは、周期的ムラ補正パターンの決定時に第２の温度センサ４２が検出した温度をいう。
【００６０】
その後、補完器４０が、上記式（３）に示す「走査線位置ズレ量」に対し特定係数を乗算して補完値を算出する（補完値算出工程）。
「特定係数」とは、画像形成装置１００の画像形成条件等で決定される係数であって、具体的には光走査装置２による走査線ピッチや感熱性フィルム２０上に形成する結像スポットの径等で決定される係数である。「補完値」とは、決定済みの周期的ムラ補正パターンの振幅を補完するものである。
【００６１】
なお、補完器４０における当該補完値の算出に際しては、補完器４０が上記特定係数を、回転多面鏡１６の偏向面１６ａの面倒れ量に比例させてもよいし、回転多面鏡１６の偏向面１６ａ同士で面倒れ量の変動が少ない場合やレーザ光Ｌによる光走査線同士のムラ（間隔のムラ）の許容範囲が大きい場合には、特定係数を、偏向面１６ａの面倒れ量に依存させずに一定に維持させてもよいし、上記副走査倍率（＝θ１／θ２）が感光体フィルム２０に形成する像の像高により異なるのでその像高に応じて適宜変更してもよい。
【００６２】
以上の本実施形態では、搬送部３の機械的部品近傍の温度と結像レンズ１８の近傍の温度とに基づき補完値を算出し、その補完値を周期的変調パターンｈ（ｘ）に加算して周期的ムラ補正パターンを補完するから、画像形成装置１００の内部の温度が変化しても、感光性フィルム２０の記録面のシフトや回転多面鏡１６の像点のシフトに伴うピッチムラの悪化を十分に抑止することができる。
【００６３】
また、本実施形態では、特許文献２に開示されたように、感光性ドラムに相当する熱現像ドラム４ａを移動させる大掛かりな専用の構成も不要であり、補完器４０と第１，第２の温度センサ４１，４２とを設けるといった簡単な構成で温度変化に伴いピッチムラが悪化するのを十分に抑止することができる。以上から、温度変化に伴いピッチムラが悪化するのを十分かつ簡単に抑止することができる。
【図面の簡単な説明】
【００６４】
【図１】画像形成装置１００の構成を示す図面である。
【図２】光走査装置２の構成を示す図面である。
【図３】画像形成装置１００の回路構成を示すブロック図である。
【図４】走査線位置ズレ量の算出を説明する模式図である。
【図５】従来技術の課題を説明するための図面である。
【符号の説明】
【００６５】
１００  画像形成装置
１  収納部
２  光走査装置
１６  回転多面鏡
１８  結像レンズ（結像光学系）
３  搬送部
４  熱現像部
５  スペーサ
２０  感光性フィルム（記録媒体）
３１  パターン発生器
４０  補完器
４１  第１の温度センサ
４２  第２の温度センサ
Ｌ  レーザ光（光）
【図１】
2008176006.tif 000003
【図２】
2008176006.tif 000004
【図３】
2008176006.tif 000005
【図４】
2008176006.tif 000006
【図５】
2008176006.tif 000007